(57)【要約】情報の送信のためのポータル及び電気的及び熱的パワーの少なくとも１つを供給する通信ネットワークの要素及びプラズマ−電気パワー源の溶融金属燃料は、（ｉ）ハイドリノを形成するため原子水素の触媒のための少なくとも１つの反応セルと、（ｉｉ）Ｈ２Ｏ触媒の源又はＨ２Ｏ触媒；原子水素の源又は原子水素；Ｈ２Ｏ触媒の源又はＨ２Ｏ触媒並びに原子水素の源又は原子水素を形成する反応物；及び燃料を高く導電性にさせる溶融金属から選択される少なくとも２つの要素を含む化学燃料混合物と、（ｉｉｉ）電磁ポンプを含む燃料噴射システムと、（ｉｖ）輝く発光プラズマを形成するためハイドリノを形成することによるエネルギー・ゲイン及びハイドリノ反応の高速反応速度を開始させるため低電圧、高電流の電気的エネルギーの繰り返しのショート・バーストを供給する電気的パワー源及び燃料を閉じ込める少なくとも１セットの電極と、（ｖ）電極電磁ポンプ回収システム及び重力回収システムの少なくとも１つのような生成物回収システムと、（ｖｉ）プラズマに供給されるＨ２Ｏ蒸気の源と、（ｖｉｉ）ＵＶウィンドウ及び複数のフォトエレクトリック・セル又は複数の紫外線（ＵＶ）光起電力セル又は可視光及び赤外光透過性のウィンドウ及び集光型太陽パワー熱光起電力装置のような、セルの高パワー光出力を電気に変換することができるパワー・コンバーターと、及び（ｖｉｉｉ）情報の送信が可能でかつ遠隔通信が可能な装置と、ここで、装置は、通信ネットワークを形成するためコントロールされ且つ組織化される複数のパワー・システムの複数の通信エレメントの通信エレメントを含むことが更にできるかもしれない。
2019526146.tif 000002
【特許請求の範囲】
【請求項１】
パワー発生装置と、
少なくとも１つのパワー消費装置と、
パワー発生装置及び少なくとも１つのパワー消費装置に接続される配電網と、を含む分散情報ネットワークにおいて、
パワー発生装置は、配電網に電力を供給し、及び
パワー発生装置は、配電網を使用して、ネットワーク・データ・トラフィックをルーティングする、分散情報ネットワーク。
【請求項２】
電気的パワーを発生させるためのＳｕｎＣｅｌｌ（登録商標）と、
ＳｕｎＣｅｌｌ（登録商標）内に含まれるコントローラーと、
ＳｕｎＣｅｌｌ（登録商標）内に含まれ、及び、データ送信のためのコントローラーに接続される、電力線搬送トランシーバーと、
ＳｕｎＣｅｌｌ（登録商標）及び電力線搬送トランシーバーに接続される、配電接続と、を含むパワー発生装置において、
電気的パワー及びデータは、配電接続を通して同時に送信される、パワー発生装置。
【請求項３】
請求項２に記載のパワー発生装置であって、ＳｕｎＣｅｌｌ（登録商標）は、
大気圧未満の、大気圧の、又は大気圧を超える圧力を維持することができる少なくとも１つの槽と、
ａ）発生期のＨ２Ｏを含む、少なくとも１つの触媒又は触媒の源、
ｂ）少なくとも１つのＨ２Ｏ又はＨ２Ｏの源、
ｃ）少なくとも１つの原子水素又は原子水素の源、及び、
ｄ）溶融金属、
を含む反応物と、
溶融金属リザーバー及び電磁ポンプを含む、少なくとも１つの溶融金属噴射システムと、
少なくとも１つの追加の反応物噴射システムと、ここで、追加の反応物は、
ａ）発生期のＨ２Ｏを含む、少なくとも１つの触媒又は触媒の源、
ｂ）少なくとも１つのＨ２Ｏ又はＨ２Ｏの源、及び
ｃ）原子水素又は原子水素の源の少なくとも１つ、  を含み；
電気的パワーを含む少なくとも１つの反応物点火システムと、ここで、電気的パワーの源は、パワー・コンバーターからの電気的パワーを受け取り；
溶融金属を回収するためのシステムと；  及び
電気的パワー及び／又は熱的パワーへの光及び熱出力の少なくとも１つの出力システム又はパワー・コンバーターの少なくとも１つと；  を含む、パワー発生装置。
【請求項４】
請求項３に記載のパワー発生装置であって、溶融金属点火システムは、
ａ）溶融金属を閉じ込める電極の少なくとも１つのセット、及び、
ｂ）プラズマを形成するために反応物を反応させるようにするのに十分な高電流の電気的エネルギーのショート・バーストをデリバリするための電気的パワーの源、を含む、パワー発生装置。
【請求項５】
請求項３に記載のパワー発生装置であって、溶融金属点火システムは、ベクトルのクロス積の電流要素を供給するため電流源及び磁場を供給する少なくとも１つの磁石を含む電磁ポンプを含んでよい、パワー発生装置。
【請求項６】
請求項３に記載のパワー発生装置であって、溶融金属リザーバーは、誘導結合ヒータを含んでよい、パワー発生装置。
【請求項７】
請求項３に記載のパワー発生装置であって、溶融金属点火システムは、開回路を形成するため分離される少なくとも１セットの電極を含み、その開回路は、点火を達成するため高電流が流れるようにさせるため溶融金属の噴射によって閉じられる、パワー発生装置。
【請求項８】
請求項３に記載のパワー発生装置であって、溶融金属点火システムの回路は、１  Ｈｚから１０，０００  Ｈｚの範囲内の点火頻度を引き起こすため金属噴射により閉じられてよく、溶融金属は、銀、銀−銅合金、及び銅の少なくとも１つを含み、そして、追加反応物はＨ２Ｏ蒸気及び水素ガスの少なくとも１つを含んでよい、パワー発生装置。
【請求項９】
請求項３に記載のパワー発生装置であって、追加の反応物噴射システムは、コンピュータ、Ｈ２Ｏ及びＨ２圧力センサ、及び、フロー・コントローラーの少なくとも１つを含み、ここで、そのコントローラは、マス・フロー・コントローラー、ポンプ、注射器ポンプ、及び、高精度電気的にコントロール可能なバルブの群からの少なくとも１つ又はそれ以上を含み、そのバルブは、ニードル弁、プロポーショナル電子バルブ、及びステッパ―・モーター・バルブからの少なくとも１つを含み、そのバルブは、Ｈ２Ｏ及びＨ２圧の少なくとも１つを所望の値に維持するために圧力センサー及びコンピューターによってコントロールされる、パワー発生装置。
【請求項１０】
請求項３に記載のパワー発生装置であって、反応物の生成物を回収するシステムは、重力下で溶融物に流れを供給するこができる壁を含む槽、電極電磁ポンプ、及びその槽と連通するリザーバーの少なくとも１つを含み、そして、更に、リザーバー内で溶融金属の金属蒸気が凝縮するようにするため槽の別の部分よりも低い温度でリザーバーを維持するための冷却システムを含み、ここで、回収システムは、ベクトルのクロス積の点火電流要素及び磁場を供給する少なくとも１つの磁石を含む電極電磁ポンプを含んでよい、パワー発生装置。
【請求項１１】
請求項３に記載のパワー発生装置であって、少なくとも１つの槽は、内部反応セル、黒体放射体を含むトップ・カバー、及び、大気圧未満の、大気圧の、又は大気圧より上の圧力を維持することができる外側チャンバーを含み、
黒体放射体を含むトップ・カバーは、１０００  Ｋから３７００  Ｋの範囲内の温度で維持され、
黒体放射体を含むトップ・カバー及び内部反応セルの少なくとも１つは、高放射率を有する耐熱金属を含む、パワー発生装置。
【請求項１２】
請求項３に記載のパワー発生装置であって、セルによって放射される光は、可視光及び近赤外光を含む主に黒体放射であり、光起電力セルは、ペロブスカイト、結晶シリコン、ゲルマニウム、ヒ化ガリウム（ＧａＡｓ）、アンチモン化ガリウム（ＧａＳｂ）、ヒ化インジウム・ガリウム（ＩｎＧａＡｓ）、アンチモン化インジウム・ガリウム・ヒ化物（ＩｎＧａＡｓＳｂ）、アンチモン化リン化インジウム・ヒ化物（ＩｎＰＡｓＳｂ）、ＩｎＧａＰ／ＩｎＧａＡｓ／Ｇｅ；  ＩｎＡｌＧａＰ／ＡｌＧａＡｓ／ＧａＩｎＮＡｓＳｂ／Ｇｅ；  ＧａＩｎＰ／ＧａＡｓＰ／ＳｉＧｅ；  ＧａＩｎＰ／ＧａＡｓＰ／Ｓｉ；  ＧａＩｎＰ／ＧａＡｓＰ／Ｇｅ；  ＧａＩｎＰ／ＧａＡｓＰ／Ｓｉ／ＳｉＧｅ；  ＧａＩｎＰ／ＧａＡｓ／ＩｎＧａＡｓ；  ＧａＩｎＰ／ＧａＡｓ／ＧａＩｎＮＡｓ；  ＧａＩｎＰ／ＧａＡｓ／ＩｎＧａＡｓ／ＩｎＧａＡｓ；  ＧａＩｎＰ／Ｇａ（Ｉｎ）Ａｓ／ＩｎＧａＡｓ；  ＧａＩｎＰ−ＧａＡｓ−ウェーハ−ＩｎＧａＡｓ；  ＧａＩｎＰ−Ｇａ（Ｉｎ）Ａｓ−Ｇｅ；  及び  ＧａＩｎＰ−ＧａＩｎＡｓ−Ｇｅ，から選択される少なくとも１つの化合物を含む集光セルである、パワー発生装置。
【請求項１３】
請求項３に記載のパワー発生装置であって、セルによって放射される光は、主に紫外線であり、光起電力セルは、第ＩＩＩ族窒化物、ＧａＮ、ＡｌＮ、ＧａＡｌＮ、及びＩｎＧａＮから選択される少なくとも１つの化合物を含む集光セルである、パワー発生装置。
【請求項１４】
請求項２に記載のパワー発生装置であって、ＳｕｎＣｅｌｌ（登録商標）は、
大気圧未満の、大気圧の、大気圧を超える圧力を維持できる少なくとも１つの槽と；
ａ）発生期のＨ２Ｏを含む、少なくとも１つの触媒又は触媒の源、
ｂ）少なくとも１つのＨ２Ｏ又はＨ２Ｏの源、
ｃ）少なくとも１つの原子水素又は原子水素の源、及び、
ｄ）溶融金属、
を含む反応物と；
溶融金属リザーバー及び電磁ポンプを含む、少なくとも１つの溶融金属噴射システムと；
少なくとも１つの追加の反応物噴射システムと、ここで、追加の反応物は、
ａ）発生期のＨ２Ｏを含む、少なくとも１つの触媒又は触媒の源、
ｂ）少なくとも１つのＨ２Ｏ又はＨ２Ｏの源、及び
ｃ）少なくとも１つの原子水素又は原子水素の源、
を含み；
その反応物が発光プラズマ及び発熱プラズマの少なくとも１つを形成するようにさせる電気的パワーの源を含む、少なくとも１つの反応物点火システムと、ここで、電気的パワーの源は、パワー・コンバーターからの電気的パワーを受け取り；
溶融金属を回収するためのシステムと；
電気的パワー及び／又は熱的パワーへの光及び熱出力の少なくとも１つの出力システム又はパワー・コンバーターの少なくとも１つと；  を含み、
その溶融金属点火システムは、
ａ）溶融金属を閉じ込める電極の少なくとも１つのセット、及び、
ｂ）プラズマを形成するように反応物をして反応させるに十分な高電流の電気的エネルギーのショート・バーストをデリバリするための電気的パワーの源、を含み；
電極は、耐熱金属を含み、
プラズマを形成するように反応物をして反応させるのに十分な高電流の電気的エネルギーのショート・バーストをデリバリするための電気的パワーの源は、少なくとも１つのスーパー・キャパシタを含み；
その溶融金属噴射システムは、ベクトルのクロス積の電流要素を供給するため電流源及び磁場を供給する少なくとも１つの磁石を含む電磁ポンプを含み；
溶融金属リザーバーは、誘導結合ヒーターを含み；
その溶融金属点火システムは、開回路を形成するため分離された少なくとも１セットの電極を含み、ここで、この開回路は、点火を達成するため高電流をして流れさせるように溶融金属の噴射により閉じられ；
その溶融金属点火システム電流は、５００  Ａから５０，０００  Ａの範囲内であり；
その溶融金属点火システムは、１  Ｈｚから１０，０００  Ｈｚの範囲内の点火頻度になるように回路が閉じられ；
溶融金属は、銀、銀−銅合金、及び銅の少なくとも１つを含み；
追加反応物は、Ｈ２Ｏ蒸気及び水素ガスの少なくとも１つを含み；
追加の反応物噴射システムは、コンピュータ、Ｈ２Ｏ及びＨ２圧力センサ、及び、フロー・コントローラーの少なくとも１つを含み、ここで、そのコントローラーは、マス・フロー・コントローラー、ポンプ、注射器ポンプ、及び、高精度電気的にコントロール可能なバルブの群の少なくとも１つ又はそれ以上を含み、そのバルブは、ニードル弁、プロポーショナル電子バルブ、及びステッパ―・モーター・バルブの少なくとも１つを含み、そのバルブは、Ｈ２Ｏ及びＨ２圧の少なくとも１つを所望の値に維持するため圧力センサ及びコンピューターによってコントロールされ；
追加の反応物噴射システムは、０．１  Ｔｏｒｒから１  Ｔｏｒｒの範囲内にＨ２Ｏ蒸気を維持し；
反応物の生成物を回収するシステムは、重力下で溶融物に流れを供給することができる壁を含む槽と、電極電磁ポンプと、及びその槽と連通するリザーバーの少なくとも１つを含み、そして、更に、そのリザーバー内で溶融金属の金属蒸気が凝縮するようにさせるためその槽の別の部分よりも低い温度でそのリザーバーを維持するための冷却システムを更に含み；
電極電磁ポンプを含む回収システムは、ベクトルのクロス積の点火電流要素及び磁場を供給する少なくとも１つの磁石を含み；
大気圧より低い圧力、大気圧での圧力、又は、大気圧より高い圧力を維持することができる槽と、黒体放射体を含むトップ・カバーと、及び、大気圧より低い圧力、大気圧での圧力、又は、大気圧より高い圧力を維持することができる外側チャンバーと、を含み；
黒体放射体を含むトップ・カバーは、１０００  Ｋから３７００  Ｋの範囲内の温度で維持され；
黒体放射体を含むトップ・カバー及び内部反応セルの少なくとも１つは、高放射率を有する耐熱金属を含み；
黒体放射体は、更に、黒体温度センサ及びコントローラーを含み；
反応パワー出力の、少なくとも１つのパワー・コンバーターは、熱光起電力コンバーター及び光起電力コンバーターの群の少なくとも１つを含み；
セルによって放射される光は、可視光及び近赤外光を含む主に黒体放射であり、光起電力セルは、結晶シリコン、ゲルマニウム、ヒ化ガリウム（ＧａＡｓ）、アンチモン化ガリウム（ＧａＳｂ）、ヒ化インジウム・ガリウム（ＩｎＧａＡｓ）、アンチモン化インジウム・ガリウム・ヒ化物（ＩｎＧａＡｓＳｂ）、及びアンチモン化リン化インジウム・ヒ化物（ＩｎＰＡｓＳｂ）  から選択される少なくとも１つの化合物と、第ＩＩＩ族／第ＩＶ族半導体と、ＩｎＧａＰ／ＩｎＧａＡｓ／Ｇｅと；  ＩｎＡｌＧａＰ／ＡｌＧａＡｓ／ＧａＩｎＮＡｓＳｂ／Ｇｅと；  ＧａＩｎＰ／ＧａＡｓＰ／ＳｉＧｅと；  ＧａＩｎＰ／ＧａＡｓＰ／Ｓｉと；  ＧａＩｎＰ／ＧａＡｓＰ／Ｇｅと；  ＧａＩｎＰ／ＧａＡｓＰ／Ｓｉ／ＳｉＧｅと；  ＧａＩｎＰ／ＧａＡｓ／ＩｎＧａＡｓと；  ＧａＩｎＰ／ＧａＡｓ／ＧａＩｎＮＡｓと；  ＧａＩｎＰ／ＧａＡｓ／ＩｎＧａＡｓ／ＩｎＧａＡｓと；  ＧａＩｎＰ／Ｇａ（Ｉｎ）Ａｓ／ＩｎＧａＡｓと；  ＧａＩｎＰ−ＧａＡｓ−ウェーハ−ＩｎＧａＡｓと；  ＧａＩｎＰ−Ｇａ（Ｉｎ）Ａｓ−Ｇｅと；  及び  ＧａＩｎＰ−ＧａＩｎＡｓ−Ｇｅと，を含む集光セルであり、及び
その装置は、真空ポンプ及び少なくとも１つの冷却機を含む、パワー発生装置。
【請求項１５】
分散情報ネットワークを作動させる方法であって、
パワー発生コア及びデータ送信モジュールを含むパワー発生器を供給するステップと；
電力送信網へパワー発生器を接続するステップと；
パワー発生器から電力送信網へパワーをデリバリするステップと；
データ送信モジュールを使用して送電網に接続されるリモート・デバイスからのデータを受け取るステップと；
パワー発生器を使用したリモート・デバイス間のデータ・トラフィックをルーティングするステップと；  を含む方法。
【発明の詳細な説明】
【技術分野】
【０００１】
本開示は、パワー（電力）発生（ｐｏｗｅｒ  ｇｅｎｅｒａｔｉｏｎ）の分野に関し、特に、パワー（電力）の発生のためのシステム、装置、及び方法に関し、そして、パワー発生器（発電機）（ｐｏｗｅｒ  ｇｅｎｅｒａｔｏｒｓ）との及びパワー発生器間の遠隔モニタリング、遠隔制御（リモートコントロール）、及び遠隔通信（リモート通信）の少なくとも１つ、のための通信システムに関するが、ここで、各発生システムは、通信装置を含み、そして、遠隔通信が可能な装置は、通信ネットワークを形成するように組織化されるかもしれない。ネットワークは、各発生器間で信号を送受信することができる少なくとも２つの通信装置を含んでよく、そのネットワークは、複数の発生システム通信装置（ｇｅｎｅｒａｔｉｏｎ  ｓｙｓｔｅｍ  ｃｏｍｍｕｎｉｃａｔｉｏｎ  ｄｅｖｉｃｅｓ）間で通信するためのシステムを含んでよい。そのネットワークは、メッシュネットワーク（ｍｅｓｈ  ｎｅｔｗｏｒｋ）、完全接続ネットワーク（ｆｕｌｌｙ  ｃｏｎｎｅｃｔｅｄ  ｎｅｔｗｏｒｋ）、アドホックネットワーク（ａｄ−ｈｏｃ  ｎｅｔｗｏｒｋ）、モバイルアドホックネットワーク（ｍｏｂｉｌｅ  ａｄ  ｈｏｃ  ｎｅｔｗｏｒｋ）（ＭＡＮＥＴｓ）、最短経路ブリッジング（ｓｈｏｒｔｅｓｔ  ｐａｔｈ  ｂｒｉｄｇｉｎｇ）のようなセルフヒーリングアルゴリズム（ｓｅｌｆ  ｈｅａｌｉｎｇ  ａｌｇｏｒｉｔｈｍｓ）、無線メッシュネットワーク（ｗｉｒｅｌｅｓｓ  ｍｅｓｈ  ｎｅｔｗｏｒｋ）の少なくとも１つを含んでもよい。１つの実施例において、メッシュネットワークは、フラッディング又はルーティング技術（ａ  ｆｌｏｏｄｉｎｇ  ｏｒ  ａ  ｒｏｕｔｉｎｇ  ｔｅｃｈｎｉｑｕｅ）のいずれかを使用してメッセージを中継することができる。１つの実施例において、制御されないフラッディング及び制御されたフラッディングのようなフラッディング技術は、ルーティング・アルゴリズムを含むが、ここで、各着信パケット（ｉｎｃｏｍｉｎｇ  ｐａｃｋｅｔ）は、到着したもの又は送信したものを除いて各外向きリンク（ｏｕｔｇｏｉｎｇ  ｌｉｎｋ）を通して送信される。
【０００２】
コントロールされたフラッディングの実施例は、シーケンス番号制御フラッディング（ｓｅｑｕｅｎｃｅ  ｎｕｍｂｅｒ  ｃｏｎｔｒｏｌｌｅｄ  ｆｌｏｏｄｉｎｇ）（ＳＮＣＦ）及びリバース・パス・フラッディング（ｒｅｖｅｒｓｅ  ｐａｔｈ  ｆｌｏｏｄｉｎｇ）（ＲＰＦ）を含むもののような、それを信頼できるものにするため、２つのアルゴリズムのうちの少なくとも１つを含んでもよい。ＳＮＣＦの実施例において、ノードは、それ自身のアドレス及びシーケンス番号を、それが送信される情報パケットに添付してもよいが、ここで、各ノードは、アドレス及びシーケンス番号のメモリを有する。ノードがメモリ内のパケットを受信した場合、直ちに、それをドロップするかもしれない。ＲＰＦの実施例において、ノードは、パケットを転送するだけでよく、そして、もしそれが次のノードから受信されれば、それは送信者にそれを返信するかもしれない。フラッディングは、ブリッジングにおいて、使用されるかもしれない。１つの実施例において、ルーティング技術は、ルーティング・アルゴリズムを含むが、ここで、そのメッセージは、その宛先アドレスに到達するように、ノードからノードへホッピングすることによって経路に沿って送信される。
【０００３】
基本的なコンピューター・ネットワークは、サーバー、クライアント、伝送媒体（ｔｒａｎｓｍｉｓｓｉｏｎ  ｍｅｄｉａ）、データ、及びネットワークインターフェースを含む。分散型ネットワークはまた、ハブ及び／又はルータを含むことができ得る。分散型ネットワークにおいて、クライアント装置は、データ及び他の情報を共有するために伝送媒体を介して互いに接続し、及び、サーバに接続する。いくつかの例において、伝送媒体は、有線であり得るが、他の例において、伝送媒体は、無線通信であり得る。各クライアント及びサーバーは、それがネットワークに接続することができるネットワーク・インターフェースを有する。ネットワーク・インタフェースは、物理的にネットワークに接続し、クライアント又はサーバとネットワークとの間でデータをやり取りする。
【０００４】
幾つかのネットワーク構成において、クライアント及びサーバーは、ローカル・ネットワーク内で動作する。ローカル・ネットワークは、住居、学校、研究室、又はオフィスのビルのような限られたエリア内で装置（ｄｅｖｉｃｅｓ）を相互接続する。ローカル・ネットワークは、ネットワーク間の伝送媒体接続（例えば、ネットワーク・アクセス・ポイント（ｎｅｔｗｏｒｋ  ａｃｃｅｓｓ  ｐｏｉｎｔｓ））を通して他のローカル・ネットワークと通信することができる。ルータ及び／又はハブは、ローカル・ネットワーク内及びローカル・ネットワーク間で、データをルーティングするために使用され得る。
【０００５】
より具体的には、本開示の実施例は、光パワー、プラズマ、及び熱パワーを生成し、光―電気パワー・コンバーター、プラズマ−電気パワー・コンバーター、フォトン−電気パワー・コンバーター、又は熱−電気パワー・コンバーターを介して電気的パワーを生成する、パワー発生装置（ｐｏｗｅｒ  ｇｅｎｅｒａｔｉｏｎ  ｄｅｖｉｃｅｓ）及びシステム並びに関連する方法に関し、そして、各パワー・システム（ｐｏｗｅｒ  ｓｙｓｔｅｍ）は、更に、通信ネットワークを形成するかもしれない、他の遠隔通信装置に信号を送受信するための通信装置を含む。加えて、本開示の実施例は、光起電力パワー・コンバーターを用いて、光パワー、機械的パワー、電気パワー、及び／又は熱パワーを発生させるために、水又は水ベースの燃料源の点火を使用するシステム、装置、及び方法を記述する。これら及び他の関連する実施例は、本開示において詳細に記述される。
【０００６】
パワー発生は、プラズマからのパワーを利用して、多くのフォームを取ることができる。プラズマの成功裏の商業化は、プラズマを効率的に形成することができ、そして、生成されたプラズマのパワーを捕獲することができるパワー発生システムに依存するかもしれない。
【０００７】
ある燃料の点火の間にプラズマが形成されるかもしれない。これらの燃料は、水又は水ベースの燃料源を含むことができる。点火の間、電子が剥奪された原子のプラズマ・クラウドが形成され、及び、高い光パワーが開放されるかもしれない。そのプラズマの高い光パワーは、本開示の電気コンバーターによって利用され得る。イオン及び励起状態原子は、再結合し、そして、光パワーを発するために、電子緩和を受けることができる。その光パワーは、光起電力技術で電気に変換され得る。
【０００８】
本開示の特定の実施例は、パワー発生システムに関するが、それは、燃料を点火し及びプラズマを生成するために、燃料にパワー（電力）をデリバリする（ｄｅｌｉｖｅｒ）ように構成された複数の電極と；その複数の電極に電気エネルギーをデリバリ（配達）するように構成された電気的パワーの源と；及び複数のプラズマ・フォトン（ｐｌａｓｍａ  ｐｈｏｔｏｎｓ）を少なくとも受け取るように配置された少なくとも１つの光起電力パワー・コンバーターと、を含む。
【０００９】
１つの実施例において、本開示は、電気的エネルギー及び熱的エネルギーの少なくとも１つを生成し、そして、以下のものを含む情報を送受信するパワー・システムの通信ネットワーク及びパワー・システムに関する。それらは、
大気圧以下、大気圧、又は大気圧以上の圧力を維持することができる少なくとも１つの槽と；
反応物と、ここで、その反応物は、
ａ）発生期のＨ２Ｏを含む、触媒又は触媒の源の少なくとも１つ、
ｂ）Ｈ２Ｏ又はＨ２Ｏの源の少なくとも１つ、
ｃ）原子水素又は原子水素の源の少なくとも１つ、及び、
ｄ）溶融金属と、を含み；
溶融金属リザーバー及び電磁ポンプを含む、少なくとも１つの溶融金属噴射システムと；
少なくとも１つの追加の反応物噴射システムと、ここで、その追加の反応物は、
ａ）発生期のＨ２Ｏを含む、少なくとも１つの触媒又は触媒の源、
ｂ）少なくとも１つのＨ２Ｏ又はＨ２Ｏの源、及び
ｃ）原子水素又は原子水素の源の少なくとも１つ、を含み；
電気的パワーの源を含む少なくとも１つの反応物点火システムと、ここで、電気的パワーの源は、パワー・コンバーターから電気的パワーを受け取り；
溶融金属を回収するシステムと；  及び、
電気的パワー及び／又は熱的パワーへの光及び熱出力の少なくとも１つの出力システム又はパワー・コンバーターの少なくとも１つと；  を含む。
【００１０】
１つの実施例において、溶融金属点火システムは、
ａ）その溶融金属を閉じ込めるための電極の少なくとも１つのセットと、及び、
ｂ）プラズマを形成するために反応物をして反応するように惹起するのに十分な、高電流の電気的エネルギーのショート・バースト（ｓｈｏｒｔ  ｂｕｒｓｔ）をデリバリするための電気的パワーの源と、を含む。
【００１１】
電極は、耐熱金属を含んでよい。
【００１２】
１つの実施例において、プラズマを形成するために反応物をして反応するように惹起するのに十分な、高電流の電気的エネルギーのショート・バースト（ｓｈｏｒｔ  ｂｕｒｓｔ）をデリバリする電気的パワーの源は、少なくとも１つのスーパー・キャパシタを含む。
【００１３】
その溶融金属噴射システムは、ベクトルのクロス積の電流要素を供給するために、磁場及び電流源を供給する少なくとも１つの磁石を含む電磁ポンプを含むかもしれない。
【００１４】
溶融金属リザーバーは、誘導結合ヒーターを含むかもしれない。
【００１５】
その溶融金属点火システムは、開回路を形成するように分離された少なくとも１セットの電極を含むが、ここで、この開回路は、点火を達成するように高電流をして流れさせるように、溶融金属の噴射により閉じられる。
【００１６】
その溶融金属点火システム電流は、５００  Ａから５０，０００  Ａの範囲内である。
【００１７】
溶融金属点火システムの回路は、１  Ｈｚから１０，０００  Ｈｚの範囲の点火頻度（周波数）を生じさせるために金属注入によって閉じられるかもしれないが、ここで、その溶融金属は、銀、銀−銅合金、及び銅の少なくとも１つを含み、そして、その付加反応物は、Ｈ２Ｏ蒸気及び水素ガスの少なくとも１つを含むかもしれない。
【００１８】
１つの実施例において、追加の反応物噴射システムは、コンピューター、Ｈ２Ｏ及びＨ２圧力センサ、及び、フロー・コントローラーの少なくとも１つを含んでよく、ここで、そのコントローラーは、マス・フロー・コントローラー、ポンプ、注射器ポンプ、及び、高精度電気的にコントロール可能なバルブの群から、少なくとも１つ又はそれ以上を含み、そのバルブは、ニードル弁、プロポーショナル電子バルブ、及びステッパー・モーター・バルブからの少なくとも１つを含み、そのバルブは、Ｈ２Ｏ及びＨ２圧の少なくとも１つを所望の値に維持するために圧力センサー及びコンピューターによってコントロールされる。
【００１９】
追加の反応物噴射システムは、Ｈ２Ｏ蒸気圧を０．１  Ｔｏｒｒから１  Ｔｏｒｒの範囲内に維持してもよい。
【００２０】
１つの実施例において、反応物の生成物を回収するためのシステムは、重力下で溶融物に流れを提供することができる壁を含む槽、電極電磁ポンプ、及び槽と連通するリザーバーの少なくとも１つを更に備え、そして、そのリザーバー内に溶融金属の金属蒸気が凝縮するように惹起するために、その槽の別の部分よりも更に低い温度で、そのリザーバーを維持するための冷却システムを更に含み、ここで、その回収システムは、磁場及びベクトルのクロス積の点火電流要素を供給する少なくとも１つの磁石を含む電極電磁ポンプを含む。
【００２１】
１つの実施例において、パワー・システムは、内部反応セルを含む、大気圧未満の、大気圧の、又は大気圧を超える圧力を維持することができる槽と、黒体放射体を含むトップ・カバーと、及び、大気圧未満、大気圧、又は大気圧を超える圧力を維持することができる外側チャンバと、を含み、
黒体放射体を含むトップ・カバーは、１０００  Ｋから３７００  Ｋの範囲内の温度で維持され、そして
黒体放射体を含むトップ・カバー及び内部反応セルの少なくとも１つは、高い放射率を持つ耐熱金属を含む。
【００２２】
パワー・システムは、熱光起電力コンバーター、光起電力コンバーター、光電子コンバーター、プラズマダイナミック・コンバーター、熱電子コンバーター、熱電コンバーター、スターリングエンジン、ブレイトンサイクルエンジン、ランキンサイクルエンジン、及び熱エンジンの群からの少なくとも１つを含む反応パワー出力の少なくとも１つのパワー・コンバーター、及び、ヒーターを含んでよい。
【００２３】
１つの実施例において、セルによって放射される光は、可視光及び近赤外光を含む主に黒体放射であり、光起電力セルは、ペロブスカイト、結晶シリコン、ゲルマニウム、ガリウムヒ素（ＧａＡｓ）、アンチモン化ガリウム（ＧａＳｂ）、ヒ化ガリウムインジウム（ＩｎＧａＡｓ）、アンチモン化インジウムガリウムヒ化物（ＩｎＧａＡｓＳｂ）、アンチモン化リン化インジウムヒ化物（ＩｎＰＡｓＳｂ）、ＩｎＧａＰ／ＩｎＧａＡｓ／Ｇｅ；  ＩｎＡｌＧａＰ／ＡｌＧａＡｓ／ＧａＩｎＮＡｓＳｂ／Ｇｅ；  ＧａＩｎＰ／ＧａＡｓＰ／ＳｉＧｅ；  ＧａＩｎＰ／ＧａＡｓＰ／Ｓｉ；  ＧａＩｎＰ／ＧａＡｓＰ／Ｇｅ；  ＧａＩｎＰ／ＧａＡｓＰ／Ｓｉ／ＳｉＧｅ；  ＧａＩｎＰ／ＧａＡｓ／ＩｎＧａＡｓ；  ＧａＩｎＰ／ＧａＡｓ／ＧａＩｎＮＡｓ；  ＧａＩｎＰ／ＧａＡｓ／ＩｎＧａＡｓ／ＩｎＧａＡｓ；  ＧａＩｎＰ／Ｇａ（Ｉｎ）Ａｓ／ＩｎＧａＡｓ；  ＧａＩｎＰ−ＧａＡｓ−ウエーハ−ＩｎＧａＡｓ；  ＧａＩｎＰ−Ｇａ（Ｉｎ）Ａｓ−Ｇｅ；  及びＧａＩｎＰ−ＧａＩｎＡｓ−Ｇｅ  から選択される少なくとも１つの化合物を含む集光セルである。
【００２４】
１つの実施例において、セルによって放射される光は主に紫外線であり、光起電力セルは、ＩＩＩ族窒化物、ＧａＮ、ＡｌＮ、ＧａＡｌＮ、及びＩｎＧａＮから選択される少なくとも１つの化合物を含む集光セルである。
【００２５】
そのパワー・システムは、更に、真空ポンプ及び少なくとも１つの冷却機を含むかもしれない。
【００２６】
１つの実施例において、パワー・システムは、遠隔通信が可能な装置を更に含み、ここで、その装置は、通信ネットワークを形成するように組織化され、及び制御される複数のパワー・システムの複数の通信エレメントの１つの通信エレメントを更に含むことができるかもしれない。
【００２７】
通信装置は、パワー・システムを遠隔的にモニタすること、パワー・システムを遠隔的に制御すること、パワー・システム・パフォーマンス及び動作パラメータのようなデータを遠隔的に送信すること、及び電子メール、ビデオ、オーディオ、及びインターネット通信のような一般的な情報を送受信すること、の少なくとも１つを実施するかもしれない。
【００２８】
１つの実施例において、本開示は、電気的エネルギー及び熱的エネルギーの少なくとも１つを生成し、及び、情報を送受信するパワー・システム及びパワー・システムの通信ネットワークに関する。ここで、
大気圧未満、大気圧、又は大気圧より上の圧力を維持することができる少なくとも１つの槽と；
ａ）発生期のＨ２Ｏを含む、少なくとも１つの触媒又は触媒の源、
ｂ）Ｈ２Ｏ又はＨ２Ｏの源の少なくとも１つ、
ｃ）原子水素又は原子水素の源の少なくとも１つ、及び、
ｄ）溶融金属、を含む反応物と；
溶融金属リザーバー及び電磁ポンプを含む、少なくとも１つの溶融金属噴射システムと；
少なくとも１つの追加の反応物噴射システムと、ここで、追加の反応物は、
ａ）発生期のＨ２Ｏを含む、少なくとも１つの触媒又は触媒の源、
ｂ）少なくとも１つのＨ２Ｏ又はＨ２Ｏの源、及び、
ｃ）原子水素又は原子水素の源の少なくとも１つ、を含み；
反応物に発光プラズマ及び発熱プラズマの少なくとも１つを形成させるようにするために電気的パワーの源を含む少なくとも１つの反応物点火システムと、ここで、電気的パワーの源は、パワー・コンバーターから電気的パワーを受け取り；
溶融金属を回収するシステムと；
電気的パワー及び／又は熱的パワーへの光及び熱出力の少なくとも１つの出力システム又はパワー・コンバーターの少なくとも１つと；  を含み、
その溶融金属点火システムは、
ａ）その溶融金属を閉じ込める電極の少なくとも１つのセット、及び、
ｂ）その反応物をしてプラズマを形成するように反応することを引き起こすのに十分な高電流電気エネルギーのショート・バーストをデリバリする電気的パワーの源、を含み；
その電極は、耐熱金属を含み；
その反応物をしてプラズマを形成するように反応することを引き起こすのに十分な高電流電気エネルギーのショート・バーストをデリバリする電気的パワーの源は、少なくとも１つのスーパー・キャパシタを含み；
その溶融金属噴射システムは、ベクトルのクロス積の電流要素を供給するために、磁場及び電流源を供給する少なくとも１つの磁石を含む電磁ポンプを含み；
その溶融金属リザーバーは、誘導結合ヒーターを含み；
その溶融金属点火システムは、開回路を形成するように分離された少なくとも１セットの電極を含み、ここで、この開回路は、点火を達成するように高電流をして流れさせるように溶融金属の噴射により閉じられ；
その溶融金属点火システム電流は、５００  Ａから５０，０００  Ａの範囲内であり；
その溶融金属点火システムは、１  Ｈｚから１０，０００  Ｈｚの範囲内の点火頻度を引き起こすように回路が閉じられ；
溶融金属は、銀、銀−銅合金、及び銅の少なくとも１つを含み；
追加反応物は、Ｈ２Ｏ蒸気及び水素ガスの少なくとも１つを含み；
追加の反応物噴射システムは、コンピュータ、Ｈ２Ｏ及びＨ２圧力センサ、及び、フロー・コントローラーの少なくとも１つを含み、ここで、そのコントローラは、マス・フロー・コントローラ、ポンプ、注射器ポンプ、及び、高精度電気的にコントロール可能なバルブ  の群から、少なくとも１つ又はそれ以上を含み、そのバルブは、ニードル弁、プロポーショナル電子バルブ、及びステッパ―・モーター・バルブ  の少なくとも１つを含み、ここで、そのバルブは、Ｈ２Ｏ及びＨ２圧の少なくとも１つを所望の値に維持するために圧力センサー及びコンピューターによってコントロールされ；
追加の反応物噴射システムは、０．１  Ｔｏｒｒから１  Ｔｏｒｒの範囲内にＨ２Ｏ蒸気を維持し；
反応物の生成物を回収するシステムは、重力下で溶融物に流れを供給することができる壁を含む槽（容器）、電極電磁ポンプ、及びその槽（容器）と連通するリザーバー、の少なくとも１つを含み、そして、更に、そのリザーバー内で溶融金属の金属蒸気が凝縮するようにさせるためにその槽（容器）の別の部分よりも低い温度でそのリザーバーを維持するための冷却システムを更に含み；
電極電磁ポンプを含む回収システムは、磁場及びベクトルのクロス積の点火電流要素を供給する少なくとも１つの磁石を含み；
大気圧より低い、同じ、又は、より高い圧力を維持することができる槽（容器）は、内部反応セル、黒体放射体を含むトップ・カバー、及び、大気圧より低い、同じ、又は、より高い圧力を維持することができる外側チャンバー、を含み；
黒体放射体を含むトップ・カバーは、１０００  Ｋから３７００  Ｋの範囲内の温度で維持され；
黒体放射体を含むトップ・カバー及び内部反応セルの少なくとも１つは、高放射率を持つ耐熱金属を含み；
黒体放射体は、更に、黒体温度センサー及びコントローラーを含み；
反応パワー出力の少なくとも１つのパワー・コンバーターは、熱光起電力コンバーター及び光起電力コンバーターのグループから少なくとも１つを含み；
セルによって放射される光は、可視光及び近赤外光を含む主に黒体放射であり、光起電力セルは、結晶シリコン、ゲルマニウム、ヒ化ガリウム（ＧａＡｓ）、アンチモン化ガリウム（ＧａＳｂ）、ヒ化インジウム・ガリウム（ＩｎＧａＡｓ）、アンチモン化インジウム・ガリウム・ヒ化物（ＩｎＧａＡｓＳｂ）、アンチモン化リン化インジウムヒ化物（ＩｎＰＡｓＳｂ）、から選択される少なくとも１つの化合物、第ＩＩＩ／Ｖ族半導体、ＩｎＧａＰ／ＩｎＧａＡｓ／Ｇｅ；  ＩｎＡｌＧａＰ／ＡｌＧａＡｓ／ＧａＩｎＮＡｓＳｂ／Ｇｅ；  ＧａＩｎＰ／ＧａＡｓＰ／ＳｉＧｅ；  ＧａＩｎＰ／ＧａＡｓＰ／Ｓｉ；  ＧａＩｎＰ／ＧａＡｓＰ／Ｇｅ；  ＧａＩｎＰ／ＧａＡｓＰ／Ｓｉ／ＳｉＧｅ；  ＧａＩｎＰ／ＧａＡｓ／ＩｎＧａＡｓ；  ＧａＩｎＰ／ＧａＡｓ／ＧａＩｎＮＡｓ；  ＧａＩｎＰ／ＧａＡｓ／ＩｎＧａＡｓ／ＩｎＧａＡｓ；  ＧａＩｎＰ／Ｇａ（Ｉｎ）Ａｓ／ＩｎＧａＡｓ；  ＧａＩｎＰ−ＧａＡｓ−ウェーハ−ＩｎＧａＡｓ；  ＧａＩｎＰ−Ｇａ（Ｉｎ）Ａｓ−Ｇｅ；  及び  ＧａＩｎＰ−ＧａＩｎＡｓ−Ｇｅ、を含む集光セルであり、そして、
そのパワー・システムは、更に、真空ポンプ及び少なくとも１つの冷却機を含むものである。
【００２９】
１つの実施例において、パワー・システムは、遠隔通信が可能な装置をさらに含み、その装置は、通信ネットワークを形成するように組織化され及びコントロールされる複数のパワー・システムの複数の通信エレメントの通信エレメントを更に含むかもしれない。
【００３０】
通信装置は、パワー・ステムを遠隔的にモニタし、パワー・システムを遠隔的にコントロールし、パワー・システム・パフォーマンス及び動作パラメータのようなデータを遠隔的に送信し、そして電子メール、ビデオ、オーディオ、及びインターネット通信のような一般的な情報を送受信し、の少なくとも１つの工程を実施するかもしれない。
【図面の簡単な説明】
【００３１】
添付する図面は、ここに組み込まれて、この明細書の一部を構成するが、本開示の幾つかの実施例を説明し、そして、本開示の原理を説明するためにこの記述と共に機能する。図面には、以下のものがある。
【図１】図１は、本開示の実施例によるＳｕｎＣｅｌｌ（登録商標）パワー（ｐｏｗｅｒ）の概略図である。
【図２】図２は、本開示の実施例による分散情報ネットワークにおいて使用されるＳｕｎＣｅｌｌ（登録商標）パワー発生器の概略図である。
【００３２】
原子水素は、「ハイドリノ原子」と呼ばれる分数のリュードベリ・エネルギー状態Ｈ（１／ｐ）を形成すると予測され、ここでｎ＝１／２、１／３、１／４、・・・、１／ｐ（ｐ≦１３７は整数）は、水素励起状態のリュードベリ方程式における、周知のパラメータｎ＝整数を置き換える。結合エネルギーｐ２・１３．６  ｅＶを有する安定なハイドリノ状態  Ｈ（ａＨ／（ｐ＝ｍ＋１））  へのＨの遷移は、ｍ・２７．２  ｅＶ（ｍは整数）の非放射の共鳴エネルギーのマッチしたエネルギー受容体への移動によって起こる。発生期のＨ２Ｏ分子（固体、液体、又はガス状態において水素結合していない）は、Ｈあたり２０４  ｅＶの全エネルギー放出に対応する１２２．４  ｅＶのエネルギー及び１０．１  ｎｍの短波長カットオフを備える連続バンドの発光と共に崩壊する中間体を形成するように、８１．６  ｅＶ（ｍ＝３）を受け取ることにより触媒として機能するかもしれない。結果として得られたＨ（１／４）は、続いて、反応混合物内における他のＨから３７１２．８  ｅＶを放出するＨ（１／１７）への遷移のための触媒として機能するかもしれず、その結果、何十万ワットのパワーが、その反応内に流される毎秒数百マイクロモルのＨ２から展開するかもしれない。
【００３３】
高いハイドリノ反応パワーを生成するために利用される固体燃料触媒誘導ハイドリノ遷移セル（Ｓｏｌｉｄ  Ｆｕｅｌ  Ｃａｔａｌｙｓｔ  Ｉｎｄｕｃｅｄ  Ｈｙｄｒｉｎｏ  Ｔｒａｎｓｉｔｉｏｎ  Ｃｅｌｌ）（ＳＦ−ＣＩＨＴ；以下「ＳｕｎＣｅｌｌ（登録商標）」）は、プラズマ開始電気パルスを供給する電極内に噴射される溶融銀の高導電性マトリクスを通して、１００μｓの低電圧、高電流パルスによって、アーク電流プラズマを生成する。点火に続いて、溶融金属は、重力流によって噴射システムに戻る。発生期のＨＯＨ触媒及び原子Ｈのハイドリノ反応物は、約２×１０−４  モルＨ２／ｓに相当する毎分９リットルで流れるアルゴン内に供給された３  ％水素ガスからプラズマ内で形成されるが、ここで、１  モル％のＢｉ２Ｏ３、１  モル％のＬｉＶＯ３、又は０．５  モル％のＬｉＶＯ３は、そのＨＯＨにＯを供給する。図１に示されるＳｕｎＣｅｌｌ（登録商標）は、４つの基本的なシステムを含む。それらは、（ｉ）約７００  ｇの銀を含有するリザーバー及び１００  ｃｍ３のプラズマ反応チャンバーを含む高温断熱被覆円筒形セル本体と；（ｉｉ）ヒーターアンテナが３０  ｋＨｚの加熱パワー（電力）に加えて水冷を供給するためにセル本体の周りにしっかりと巻かれた直径１／４インチの銅管（チューブ）を含むところ、銀を溶融するための誘導結合ヒーターと；（ｉｉｉ）溶融銀及び飛行中（ｏｎ−ｔｈｅ−ｆｌｙ）の添加された酸化ビスマスを噴射するための電磁ポンプを含み、更に、気体及びプラズマであるそれの過剰分の銀を強制的に戻すための電極電磁ポンプを含む、噴射システムと；及び（ｉｖ）輝く発光プラズマを形成するために水素の存在下で、溶融金属及び酸化物が噴射される、一対の電極を横切る低電圧、高電流を生成するスーパーキャパシタベースの点火システムと、である。
【００３４】
典型的な実施例において、９７  ％アルゴン／３  ％水素の雰囲気の存在下において、２．５  ｍｌ／ｓで点火電極内に噴射される溶融銀に、１モル％の酸化ビスマス（Ｂｉ２Ｏ３）、１モル％のバナジン酸リチウム（ＬｉＶＯ３）、又は０．５  モル％のバナジン酸リチウムを添加することによって引き起こされるハイドリノ反応により解放されるパワーが測定された。酸化物添加に対応するハイドリノ反応力寄与の追加の前及び後の一時的な反応セル水クーラント温度の勾配における相対的な変化には、内部標準として機能する、一定の初期入力パワーが乗じられた。二重反復試験に対して、酸素源添加に続くハイドリノのパワー寄与を備える全セル出力パワーは、６４２０  Ｗ、９０００  Ｗ、及び８７９０  Ｗの全入力パワーに対応する４９７、２００、及び２６の一時的なクーラント温度応答の勾配の比の積によって決定された。熱バースト・パワーは、それぞれ３．２  ＭＷ、１．８  ＭＷ、及び２３０，０００  Ｗであった。
【００３５】
ＳｕｎＣｅｌｌ（登録商標）は、ネットワークコンポーネントを含むことができ、そして、分散情報ネットワークとして機能することができる。図２は、分散情報ネットワークにおいてＳｕｎＣｅｌｌ（登録商標）を使用する実施例を示す。この例において、ＳｕｎＣｅｌｌ（登録商標）は、パワー−パワー消費装置を供給するために使用される。例えば、ＳｕｎＣｅｌｌ（登録商標）は、既存の送電網（パワー・グリッド）に接続される装置へ電力（パワー）を供給する既存の送電網に接続され得る。図２に示されるように、３つのＳｕｎＣｅｌｌ（登録商標）が、電力（パワー）を伝送することができる配線のような、送電線（ｐｏｗｅｒ  ｔｒａｎｓｍｉｓｓｉｏｎ  ｌｉｎｅｓ）を通して、電力（パワー）消費装置に物理的に接続されている。ＳｕｎＣｅｌｌ（登録商標）もまた、互いに接続されている。ＳｕｎＣｅｌｌ（登録商標）間の接続には、専用配線、無線伝送、又は既存の電力網の配線を使用できる。例示の実施例において、ＳｕｎＣｅｌｌ（登録商標）１は、６つの電力（パワー）消費装置であるＳｕｎＣｅｌｌ（登録商標）２に接続されており、従来のインターネットへの接続を有している。ＳｕｎＣｅｌｌ（登録商標）２はまた、６つの電力（パワー）消費装置、及び、ＳｕｎＣｅｌｌ（登録商標）１及びＳｕｎＣｅｌｌ（登録商標）３にも接続されている。ＳｕｎＣｅｌｌ（登録商標）３は、７つの電力（パワー）消費装置及びＳｕｎＣｅｌｌ（登録商標）２に接続されている。実際には、各ＳｕｎＣｅｌｌ（登録商標）には、それに接続される如何なる数の電力（パワー）消費装置を有することができる。各ＳｕｎＣｅｌｌ（登録商標）はまた、如何なる数の他のＳｕｎＣｅｌｌ（登録商標）に接続され得るが、例えば、並列において、リング構造において、直列において（図２に示すように）、接続されることができ、或いは、他のＳｕｎＣｅｌｌ（登録商標）に接続されないでいることもできる。
【００３６】
いくつかの例において、電力（パワー）消費装置は、データに敏感（データセンシティブ）であり、データを送信及び／又は受信するが（例えば、スマートサーモスタット（ｓｍａｒｔ  ｔｈｅｒｍｏｓｔａｔ）、コンピュータ、スマート電球など）、他の例では、電力（パワー）消費装置はデータを送信せず、単に電力（パワー）を消費する（例えば、従来の電球）。各ＳｕｎＣｅｌｌ（登録商標）及び各データに敏感（データセンシティブ）なデータ電力（パワー）消費装置は、物理アドレス及び／又は論理アドレスを有することができる。アドレスは、データ・ルーティングのための装置を識別するために使用される。
【００３７】
１つの実施例において、ＳｕｎＣｅｌｌ（登録商標）パワー発生器は、電圧、電流、及び電力（パワー）のような入力及び出力パラメータのためのもののようなセンサと相互作用するパワー（電力）・コントローラーを含む。センサからの信号は、パワー発生器をコントロールするプロセッサ内に供給されるかもしれない。立ち上がり（ランプアップ）時間、立ち下がり（ランプダウン）時間、点火電圧、点火電流、点火電力（パワー）、点火波形、点火周波数、燃料流量、燃料濃度、動作温度、及び他の動作パラメータの少なくとも１つ、並びに、出力電圧、電流、電力（パワー）、波形、及び周波数は、コントロールされてもよい。１つの実施例において、出力電気は、新基準の電気的パワーを含んでもよい６０  Ｈｚとは異なる別の周波数又は６０  Ｈｚの周波数のようなＡＣ又はＤＣのような如何なる所望の波形であってもよい。パワー発生器は、パワー発生器を機能不全にするための能力を更に持つかもしれない遠隔モニタリングを供給するシステム及び埋め込まれたプロセッサを含むかもしれない。
【００３８】
１つの実施例において、その発生器は、データのような情報を遠隔で送信及び受信することができる通信装置を含む。その通信装置は、スマートフォン及びパソコンの少なくとも１つの能力の少なくとも幾つかを有するもののようなスマートデバイスであるかもしれない。通信装置は、その発生器をモニタすること及びコントロールすることの少なくとも１つをするために、外部リンクとして機能するかもしれない。スマートデバイスは、ポータルをさらに含むかもしれない。そのポータルは、ＳｕｎＣｅｌｌ（登録商標）発生器への及びからの無線通信を容易にするかもしれない。１つの実施例において、そのポータルは、インターネット・タイプのコンテンツ及び通信コンテンツの少なくとも１つを送信及び受信するための手段として機能するかもしれない。そのスマートデバイスは、スマートフォン、スマートタブレット、及びパーソナルコンピュータの少なくとも１つを含んでもよい。インターネットのようなサービスは、そのポータルを介して供給されてもよい。例示的なインターネットのようなサービスは、ＧＰＳ、インターネット接続性、ソーシャルメディア、ネットワーキング、電子メール、ＩＰを介した音声又はビデオ、検索エンジン機能、及び当業者に知られている他のインターネットの使用を含む。各ＳｕｎＣｅｌｌ（登録商標）発生器（発電機）のポータルは、相互接続性のネットワークを形成するために他のそのようなポータルに接続されてもよい。ネットワークはオルタラティブな又はパラレルなインターネット（ａｎ  ａｌｔｅｒａｔｉｖｅ  ｏｒ  ａ  ｐａｒａｌｌｅｌ  ｉｎｔｅｒｎｅｔ）として機能するかもしれない。飛行機やドローンのような航空機内のそれらのような浮遊型（Ａｉｒｂｏｒｎｅ）ＳｕｎＣｅｌｌｓ（登録商標）は、受信機−送信タワーの代替品として機能するかもしれない。１つの実施例において、ＳｕｎＣｅｌｌ（登録商標）ポータルからのインターネットのコンテンツのような信号は、ＤＣ電気に基づくかもしれない屋内配線を通して送信されるかもしれない。
【００３９】
１つの実施例において、車両内に搭載されたもののような携帯型又は移動型であるかもしれないＳｕｎＣｅｌｌ（登録商標）は、ＤＣ電力（パワー）をＡＣ電力（パワー）に変換するためインバーターのようなパワー・コンディショニング装置に接続されるかもしれない。そのパワー・コンディショニング装置は、補助パワー（電力）のような如何なる応用のために使用されてもよい。例示的な補助パワー（電力）の使用は、車両対建物のような車両対静的なパワー、及び、車両対トラックのような車両対車両、車両対列車、及び車両対船舶であるが、ここで、車のようなパワー（電力）を供給する車両は、パワー（電力）を受け取る車両によって運ばれるかもしれない。例示的な運搬車両は、トラック、列車、船、及び飛行機である。１つの実施例において、パワー・コンディショニング装置は、当該技術分野において知られている車の充電ステーションの逆のような逆の車の充電ステーションを含んでもよい。１つの実施例において、車両内のもののようなモバイルＳｕｎＣｅｌｌ（登録商標）によって供給されるＤＣ電力は、建物のような据置型適用へパワー（電力）を供給するための逆充電ステーションのようなインバーターを含むもののようなパワー・コンディショニング装置に接続されるかもしれない。１つの実施例において、車両は、逆充電ステーションを含むかもしれない。その車両は、据置型又は補助的適用負荷のような外部負荷のために妥当なパワー（電力）を出力するインバータのようなパワー・コンディショニング装置を含むかもしれない。そのパワー・コンディショナからの出力は、外部負荷に接続されたマッチング電源コードによって外部負荷に接続されてもよい。負荷への典型的なコード接続は、建物のビーカー・ボックス（ｂｅａｋｅｒ  ｂｏｘ）へのものである。１つの実施例において、車両内に搭載されているもののようなＳｕｎＣｅｌｌ（登録商標）は、ＤＣ電力（パワー）を必要とするかもしれない建物のような外部負荷にＤＣ電力を出力してもよい。接続は、コードを介してもよい。そのパワー伝達は、建物のような補助的負荷に電力（パワー）を供給し及び電力（パワー）を受け取る受信機及び車両上の送信機を使用して、電磁誘導充電を含んでもよい。パワー・コンディショニング装置及びＳｕｎＣｅｌｌ（登録商標）の間の接続は、ＳｕｎＣｅｌｌ（登録商標）からパワー・コンディショニング装置への電力の流れをコントロールするための機械式キー及び電子式キーの少なくとも１つを更に含んでもよい。そのコントロールはまた、ポータルを介して有効にされるユニットのモニタリング及びコントロール機能によっても供給されてもよい。各ＳｕｎＣｅｌｌ（登録商標）の通信装置は、対応するＳｕｎＣｅｌｌ（登録商標）又は少なくとももう１つのＳｕｎＣｅｌｌ（登録商標）によって電力（パワー）供給されてもよい。ＳｕｎＣｅｌｌｓ（登録商標）は、通信装置のネットワークに電力（パワー）供給してもよい。所与のＳｕｎＣｅｌｌ（登録商標）の動作コントロール及びパワー（電力）出力は、個別ポータル及びネットワークの少なくとも１つを通して、コントロールされてもよい。１つの実施例において、所与のＳｕｎＣｅｌｌ（登録商標）のパワー（電力）出力、���ｕｎＣｅｌｌ（登録商標）の集合体のパワー（電力）出力、如何なる所与のＳｕｎＣｅｌｌ（登録商標）のパワー・コンディショニング、及びＳｕｎＣｅｌｌｓ（登録商標）の集合体のパワー・コンディショニングの少なくとも１つは、個々のポータル及びネットワークの少なくとも１つを通してコントロールされてもよい。
【００４０】
パワー・コンディショニング装置及びＳｕｎＣｅｌｌ（登録商標）の間の接続は、ＳｕｎＣｅｌｌ（登録商標）からパワー・コンディショニング装置及び負荷への電力流（パワー・フロー）をコントロールするため、機械式キー及び電子式キーの少なくとも１つを更に含んでよい。リモートコントロールはまた、通信装置を含むポータルを介して有効にされるモニタリング及びコントロール能力によって供給されてよい。
【００４１】
各ＳｕｎＣｅｌｌ（登録商標）は、コンピューティングシステム及び／又はコントローラー並びに記憶媒体を含むことができる。例示的な構成において、ＳｕｎＣｅｌｌ（登録商標）は、それに接続されている装置及び他のＳｕｎＣｅｌｌ（登録商標）に接続されている装置の間でデータ・トラフィックをルーティングするルーターとして機能することができる。トラフィックをルーティングするために、ＳｕｎＣｅｌｌ（登録商標）は、データパケットがどこにルーティングされるか特定するための構成表（コンフィギュレーションテーブル（ｃｏｎｆｉｇｕｒａｔｉｏｎ  ｔａｂｌｅ））を記憶媒体に維持できる。その構成表（コンフィギュレーションテーブル）は、どの接続が特定のグループのアドレス（ｐａｒｔｉｃｕｌａｒ  ｇｒｏｕｐｓ  ｏｆ  ａｄｄｒｅｓｓｅｓ）につながるか、使用される接続の優先順位、及びトラフィックの通常のケース及び特別なケースの両方を処理するためのルールに関する情報が含まれ得る。その構成表（コンフィギュレーションテーブル）は、ＳｕｎＣｅｌｌ（登録商標）が送電網（ｐｏｗｅｒ  ｇｒｉｄ）に接続されるとき、自動的に生成され得る。例えば、ＳｕｎＣｅｌｌ（登録商標）がその送電網に接続されているとき、グリッドに既に接続されているすべての装置にそれらのアドレス及びそれがどんな種類の装置であるかを送信するため、問い合わせることができる。ＳｕｎＣｅｌｌ（登録商標）は、各ＳｕｎＣｅｌｌ（登録商標）がすべての装置のアドレス及びネットワーク構造を知るように、この情報（例えば、構成表）を他のＳｕｎＣｅｌｌ（登録商標）に関して送信することができる。
【００４２】
装置及びＳｕｎＣｅｌｌ（登録商標）の間の通信は、標準のインターネットプロトコル（例えば、ＴＣＰ／ＩＰ）、又は、所有権のある伝送プロトコルを使用することができる。幾つかの例では、ＳｕｎＣｅｌｌ（登録商標）は、送電網内に存在する配電線（ｐｏｗｅｒ  ｄｉｓｔｒｉｂｕｔｉｏｎ  ｌｉｎｅｓ）を使用してデータに敏感な装置に物理的に接続されている。このように、ＳｕｎＣｅｌｌ（登録商標）は、電力線通信（ＰＬＣ）を使用して通信することができ、他のデータ伝送媒体は必要ない。或いは、ＳｕｎＣｅｌｌ（登録商標）はデバイスと無線で（ワイヤレス）通信できる。各ＳｕｎＣｅｌｌ（登録商標）は、その通信システムを配電システムに接続するため、電力線通信ネットワークインターフェース（例えば、ＰＬＣ送信機／受信機）を含むことができる。
【００４３】
幾つかの例において、少なくとも１つのＳｕｎＣｅｌｌ（登録商標）は、従来のインターネットに接続されている。他の例において、ＳｕｎＣｅｌｌ（登録商標）ネットワークは、スタンドアロン（ｓｔａｎｄａｌｏｎｅ）である。このようにして、ＳｕｎＣｅｌｌ（登録商標）ネットワークは、インターネットの代替として機能したり、並行して機能したりすることができる。
【図１】
2019526146.tif 000003
【図２】
2019526146.tif 000004
【国際調査報告】
2019526146.tif 000005
2019526146.tif 000006